(57)【要約】【課題】単票にもロール紙にも印字等をすることができるプリンタを提供する。【解決手段】記録ヘッドと、記録紙が供給される給紙口と、前記記録紙をガイドする記録紙ガイドまたはロール紙を支持するホルダが着脱可能に取り付けられる取り付け部と、プラテンローラと、記録紙が排紙される排紙口と、を有することを特徴とする、プリンタを提供することにより上記課題を解決する。【選択図】  図７
2018069471.tif 000002
【特許請求の範囲】
【請求項１】
記録ヘッドと、
記録紙が供給される給紙口と、
前記記録紙をガイドする記録紙ガイドまたはロール紙を支持するホルダが着脱可能に取り付けられる取り付け部と、
プラテンローラと、
記録紙が排紙される排紙口と、を有することを特徴とする、プリンタ。
【請求項２】
前記ホルダは、
本体部と、
前記本体部の両端より各々延びるアームと、
各々の前記アームに互いに対向するように設けられ、前記ロール紙を支持する支持部と、を有し、
前記アームは、前記支持部が互いに近づく方向に付勢されていることを特徴とする、請求項１に記載のプリンタ。
【請求項３】
前記アームは、前記本体部に設けられた腕部と、前記腕部に対し回動可能に取り付けられる、前記支持部が形成された支持アームとを有し、
前記支持部が互いに近づく方向に前記支持アームを付勢する付勢手段を更に有することを特徴とする、請求項２に記載のプリンタ。
【請求項４】
前記ホルダは、
ホルダ本体部と、
前記ホルダ本体部の一方のより延びる支持アームと、
前記支持アームに取り付けられ、前記ロール紙を支持する給紙軸と、
を有することを特徴とする、請求項１に記載のプリンタ。
【請求項５】
前記ホルダは、
ホルダ本体部と、
前記ロール紙が入れられる受け部が設けられていることを特徴とする、請求項１に記載のプリンタ。
【発明の詳細な説明】
【技術分野】
【０００１】
本発明は、プリンタに関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなプリンタは、記録紙を搬送しながら印字ヘッドにより印字を行ない、カッターで記録紙を切断するものである。
【０００３】
このようなプリンタにおいては、記録紙としてロール紙が用いられており、印字ヘッドとプラテンローラの間に記録紙が挟まれた状態で記録紙に印字がなされる。
【先行技術文献】
【特許文献】
【０００４】
【特許文献１】特開２０１３−１０２６９号公報
【特許文献２】特開２００９−９６５９５号公報
【発明の概要】
【発明が解決しようとする課題】
【０００５】
ロール紙を用いるプリンタにおいては、ロール紙を設置するための記録紙ホルダが設けられている。記録紙ホルダには、ロール紙を支持する給紙軸を設けた構造のものや、ロール紙をその内部に入れる構造のものなど様々なものがあり、用途やニーズに応じて記録紙の設置方法も変わってくる。
【０００６】
また、プリンタは、発券装置などの内部にユニットとして組み込んで使用する場合や、スタンドアローン装置として使用する場合など、様々な用途で用いられる可能性がある。しかし、組み込みユニットとして使用する場合とスタンドアローンで使用する場合とでは、用途や使用環境が異なるため、設計思想等が各々独自のものとなっている。しかし、スタンドアローンで使用するプリンタを発券装置内にユニットとして組み込むことができれば、部品を共有化することができ、低コストでプリンタを提供することができる。
【０００７】
また、このようなプリンタは、単票、ロール紙の双方に用いることができれば、汎用性も増すため好ましい。
【課題を解決するための手段】
【０００８】
本実施の形態の一観点によれば、記録ヘッドと、記録紙が供給される給紙口と、前記記録紙をガイドする記録紙ガイドまたはロール紙を支持するホルダが着脱可能に取り付けられる取り付け部と、プラテンローラと、記録紙が排紙される排紙口と、を有することを特徴とする、プリンタ。
【発明の効果】
【０００９】
本発明によれば、プリンタにおいて、単票にもロール紙にも印字等をすることができる。
【図面の簡単な説明】
【００１０】
【図１】第１の実施の形態のプリンタの斜視図
【図２】第１の実施の形態のプリンタの説明図（１）
【図３】第１の実施の形態のプリンタの説明図（２）
【図４】第１の実施の形態のプリンタの内部の斜視図
【図５】第１の実施の形態のプリンタの説明図（３）
【図６】第１の実施の形態のプリンタの説明図（４）
【図７】第１の実施の形態のプリンタの説明図（５）
【図８】ロール紙ホルダの上面図
【図９】ロール紙ホルダの説明図
【図１０】ロール紙ホルダの斜視図
【図１１】ロール紙ホルダが取り付けられる第１のケース上部の斜視図
【図１２】ロール紙ホルダの変形例１の説明図
【図１３】ロール紙ホルダの変形例２の説明図
【図１４】ロール紙ホルダの変形例３の斜視図
【図１５】ロール紙ホルダの変形例３の説明図
【図１６】ロール紙ホルダの変形例４の斜視図
【図１７】ロール紙ホルダの変形例５の説明図（１）
【図１８】ロール紙ホルダの変形例５が取り付けられている状態の斜視図
【図１９】ロール紙ホルダの変形例５の説明図（２）
【図２０】第２の実施の形態のプリンタの説明図（１）
【図２１】第２の実施の形態のプリンタの説明図（２）
【図２２】第２の実施の形態のプリンタの説明図（３）
【図２３】第２の実施の形態のプリンタの説明図（４）
【発明を実施するための形態】
【００１１】
本発明を実施するための形態について、以下に説明する。尚、同じ部材等については、同一の符号を付して説明を省略する。
【００１２】
〔第１の実施の形態〕
（プリンタ）
第１の実施の形態によるプリンタ１００について図１から図４に基づき説明する。図１は、本実施の形態によるプリンタ１００の斜視図であり、図２及び図３は異なる方向から見た断面斜視図であり、図４は、プリンタの内部に設けられるプリンタメカ部の斜視図である。
【００１３】
プリンタ１００は、記録ヘッドであるサーマルヘッド１０、プラテンローラ２０、カッター３０、搬送用モータ４０及びカッター用モータ５０を有している。サーマルヘッド１０、プラテンローラ２０、搬送用モータ４０及びカッター用モータ５０は、第１のケース６０内に収納されている。また、カッター３０は、第２のケース７０に取り付けられる。カッター３０は、固定刃３１と可動刃３２とを有し、可動刃３２はカッター用モータ５０によって図示上下方向に駆動される。
【００１４】
第１のケース６０は、互いに分離可能な第１のケース上部６０ａと第１のケース下部６０ｂとを有する。本実施の形態において、第１のケース６０は樹脂で、第２のケース７０は板金でそれぞれ形成されているが、いずれも他の材料を用いることが可能である。
【００１５】
プリンタ１００では、記録紙は第１のケース６０に設けられた給紙口６１より入れられ、サーマルヘッド１０とプラテンローラ２０の間を通り、第２のケース７０に設けられた排紙口７１より排紙される。
【００１６】
プリンタが記録紙として単票を使用する発券装置等に組み込まれる場合には、図５にも示されるように、記録紙が給紙される部分には単票に対応した記録紙ガイド１１０が設けられる。しかしながら、同じプリンタでロール状の記録紙（「ロール紙」）も用いることができれば、用途も広がる。よって、本実施の形態によるプリンタは、記録紙ガイド１１０の代わりに図７に示されるロール紙を保持するためのロール紙ホルダ２１０を取り付けることができる。これにより、ロール紙への印字が可能となる。尚、図７（ａ）と図７（ｂ）は、ロール紙ホルダ２１０が取り付けられているプリンタを異なる方向から見た斜視図である。
【００１７】
図７及び図８に示されるように、ロール紙ホルダ２１０には、ホルダ本体部２１１の両側からその長手方向に略垂直に延びる腕部２１２ａ、２１２ｂが設けられている。一方の腕部２１２ａの先端には支持アーム２１３ａが取り付けられており、他方の腕部２１２ｂの先端には支持アーム２１３ｂが取り付けられている。腕部２１２ａと支持アーム２１３ａとの接続部分には回動部２１４ａが設けられており、支持アーム２１３ａは、回動部２１４ａにおいて回動可能に腕部２１２ａに取り付けられている。また、腕部２１２ｂと支持アーム２１３ｂとの接続部分にも回動部２１４ｂが設けられており、支持アーム２１３ｂは回動可能に腕部２１２ｂに取り付けられている。支持アーム２１３ａおよび支持アーム２１３ｂの先端の近傍にはそれぞれ、ロール紙２００の中心に入り込む凸部２１５ａ、凸部２１５ｂが、互いに対向するように設けられている。
【００１８】
また、腕部２１２ａと支持アーム２１３ａの内部には、その一方の側が腕部２１２ａに、他方の側が支持アーム２１３ａに接続されたねじりコイルバネ２１６ａが設けられている。同様に、他方の腕部２１２ｂと支持アーム２１３ｂの内部にもねじりコイルバネ２１６ｂが設けられている。
【００１９】
ねじりコイルバネ２１６ａ及び２１６ｂは、凸部２１５ａと凸部２１５ｂが近づく方向に支持アーム２１３ａ及び支持アーム２１３ｂを付勢する。本実施の形態においてロール紙２００を設置する際には、図９（ａ）に示すように支持アーム２１３ａ及び２１３ｂを開きその間にロール紙２００を入れる。具体的には、凸部２１５ａと凸部２１５ｂの間が離れる方向に手により力を加え、支持アーム２１３ａを回動部２１４ａを軸に回動させるとともに、支持アーム２１３ｂを回動部２１４ｂを軸に回動させて、支持アーム２１３ａと支持アーム２１３ｂの間にロール紙２００を入れる。この後、力を加えていた手を離すと、図９（ｂ）に示すように、ねじりコイルバネ２１６ａ及び２１６ｂの付勢力により、支持アーム２１３ａ、２１３ｂが凸部２１５ａと凸部２１５ｂとが近づく方向に回動し、凸部２１５ａと凸部２１５ｂとがロール紙２００の穴２０１に入ることにより、ロール紙２００が支持される。
【００２０】
次に、ロール紙ホルダ２１０の取付方法について説明する。本実施の形態においては、図１０に示されるように、ホルダ本体部２１１にはロール紙ホルダ２１０をプリンタに取り付けるための取付フック２１７が設けられており、図６及び図１１に示される第１のケース上部６０ａに設けられた取付軸１２０を取付フック２１７に入れることによりロール紙ホルダ２１０が第１のケース上部６０ａに取り付けられる。尚、図示はしないが、記録紙ガイド１１０にも同様の取付フックが設けられており、取付軸１２０を、記録紙ガイド１１０に設けられた取付フック内に入れることにより、記録紙ガイド１１０が第１のケース上部６０ａに取り付けられる。
【００２１】
上記においては、ロール紙ホルダ２１０にねじりコイルバネ２１６ａ、２１６ｂを用いた場合について説明したが、図１２に示されるように、ねじりコイルバネ２１６ａ、２１６ｂに代えて、板バネ２１８ａ、２１８ｂを用いてもよい。図１２（ａ）は、支持アーム２１３ａ、２１３ｂを開いている状態を示し、図１２（ｂ）は、支持アーム２１３ａ、２１３ｂが閉じ、ロール紙２００が設置されている状態を示す。
【００２２】
また、図１３に示されるように、腕部及び支持アームを金属等のばね性を有する材料により一体で形成した板バネのアーム２３３ａ及び２３３ｂを有するものであってもよい。具体的には、ロール紙ホルダ２３０のホルダ本体部２３１の両側にはアーム２３３ａ及び２３３ｂが各々設けられ、アーム２３３ａとアーム２３３ｂとの先端の近傍には、ロール紙２００を支持するための凸部２３５ａ、２３５ｂがそれぞれ設けられている。ロール紙２００を設置する際には、図１３（ａ）に示すように、凸部２３５ａと凸部２３５ｂとの間を広げるようにアーム２３３ａ及び２３３ｂを曲げて、ロール紙２００をアーム２３３ａ及び２３３ｂの間に位置させる。その後、図１３（ｂ）に示すように、アーム２３３ａ及び２３３ｂの弾性により凸部２３５ａ及び２３５ｂが互いに近づく方向に付勢され、ロール紙２００の穴２０１に凸部２３５ａ及び２３５ｂを入ることにより、ロール紙２００を支持することができる。
【００２３】
また、本実施の形態は、図１４に示すように、ロール紙２００に入れた給紙軸２０２を保持するロール紙ホルダ２４０が取り付けられているものであってもよい。ロール紙ホルダ２４０のホルダ本体部２４１の両側には、先端に給紙軸２０２を支持する支持溝２４２ａ、２４２ｂがそれぞれ形成された支持アーム２４２ａ及び２４２ｂが設けられている。支持アーム２４２ａに形成されている支持溝２４４ａと支持アーム２４２ｂに形成されている支持溝２４４ｂとは対向しており、支持溝２４４ａ及び支持溝２４４ｂの上方が開いており、下方が閉じている。よって、給紙軸２０２を上方より支持溝２４４ａ及び２４４ｂに入れることにより、給紙軸２０２が支持溝２４４ａ及び２４４ｂで支持される。
【００２４】
ロール紙ホルダ２４０は、支持アーム２４２ａ及び２４２ｂが弾性体で形成されており、ロール紙２００が設置されていない状態では、図１５（ａ）に示すように、対向する支持溝２４４ａ及び２４４ｂが近づく。図１５（ｂ）に示すように、給紙軸２０２が支持溝２４４ａ及び２４４ｂに入れられている状態では、支持アーム２４２ａ及び２４２ｂの弾性により給紙軸２０２を挟む方向に力が働き、給紙軸２０２が保持されている。
【００２５】
また、本実施の形態は、図１６に示すように、ロール紙２００を片持ちの給紙軸２５３により保持する構造のロール紙ホルダ２５０であってもよい。ロール紙ホルダ２５０は、ホルダ本体部２５１の一方の側に、給紙軸２５３が取り付けられた支持アーム２５２が設けられており、ロール紙２００を給紙軸２５３に入れることができる。給紙軸２５３には、バネ部２５４が設けられており、バネ部２５４の付勢力がロール紙２００の穴２０１の外側に向かって加わるため、ロール紙２００がバネ部２５４により保持される。
【００２６】
また、本実施の形態は、図１７及び図１８に示すように、落とし込み方式のロール紙ホルダ２６０を取り付けたものであってもよい。ロール紙ホルダ２６０は、図１７（ａ）及び図１８に示すように、ロール紙２００を入れる受け部２６１が設けられており、図１７（ｂ）に示すようにロール紙２００を受け部２６１に入れて用いる。尚、図１７はロール紙ホルダ２６０が取り付けられているプリンタの断面図であり、図１８は斜視図である。図１９（ａ）はロール紙ホルダ２６０の斜視図であり、図１９（ｂ）は断面図である。
【００２７】
上記においては、単票を用いる場合には記録紙ガイド１１０を用い、ロール紙を用いる場合にはロール紙ホルダを用いる場合について説明した。しかしながら、ロール紙ホルダが取り付けられている状態で、単票にも印字をすることが可能な構造のプリンタであってもよい。この場合には、ロール紙ホルダが取り付けられている状態で、単票にもロール紙にも対応することができるため、ホルダの取り替えが不要となる。
【００２８】
〔第２の実施の形態〕
次に、第２の実施の形態について説明する。本実施の形態は、図２０及び図２１に示すように、ロール紙ホルダ２１０にロール紙を検出するセンサ３１０を設けた構造のものである。図２０はロール紙ホルダ２１０にロール紙２００が設置される前の状態を示し、図２０（ａ）は断面図であり、図２０（ｂ）は斜視図である。図２１はロール紙ホルダ２１０にロール紙２００が設置されている状態を示し、図２１（ａ）は断面図であり、図２１（ｂ）は斜視図である。
【００２９】
本実施の形態において、センサ３１０は、図２２に示すように光学式反射センサを用いてもよい。図２２（ａ）はロール紙２００の残りが十分にある状態を示し、図２２（ｂ）はロール紙２００の残りが少なくなったニアエンド状態を示す。図２２（ａ）に示すように、ロール紙２００の残りが十分にある状態ではセンサ３１０の発光部より出射された光は、破線矢印で示されるように、ロール紙２００の側面で反射されセンサ３１０の受光部で検出される。図２２（ｂ）に示すように、ニアエンド状態ではロール紙２００の径が小さくなるため、センサ３１０の発光部より出射された光はロール紙２００の側面で反射されることはなく、破線矢印に示すように直進するため、発光部より出射された光は受光部には入射せず検出されない。このようにしてロール紙２００のニアエンド状態を検出することができる。
【００３０】
また、本実施の形態においては、光学式反射センサに代えて、図２３に示すように、スイッチ部３２１が設けられたメカニカルスイッチセンサ３２０を用いてもよい。メカニカルスイッチセンサ３２０では、図２３（ａ）に示す状態ではスイッチ部３２１が押され、例えば、オンになっている。一方、図２３（ｂ）に示すように、ニアエンド状態ではスイッチ部３２１からロール紙２００が離れるため、スイッチ部３２１が持ち上がり、例えば、オフになる。このようにして、ロール紙２００のニアエンド状態を検出することができる。
【００３１】
尚、上記以外の内容については、第１の実施の形態と同様である。
【００３２】
以上、本発明の実施に係る形態について説明したが、上記内容は、発明の内容を限定するものではない。
【符号の説明】
【００３３】
６０        第１のケース
６０ａ      第１のケース上部
６０ｂ      第１のケース下部
６１        給紙口
７０        第２のケース
７１        排紙口
１００      プリンタ
１１０      記録紙ガイド
１２０      取付軸
２１０      ロール紙ホルダ
２１１      ホルダ本体部
２１２ａ、２１２ｂ    腕部
２１３ａ、２１３ｂ    支持アーム
２１４ａ、２１４ｂ    回動部
２１５ａ、２１５ｂ    凸部
２１６ａ、２１６ｂ    ねじりコイルバネ
【図１】
2018069471.tif 000003
【図２】
2018069471.tif 000004
【図３】
2018069471.tif 000005
【図４】
2018069471.tif 000006
【図５】
2018069471.tif 000007
【図６】
2018069471.tif 000008
【図７】
2018069471.tif 000009
【図８】
2018069471.tif 000010
【図９】
2018069471.tif 000011
【図１０】
2018069471.tif 000012
【図１１】
2018069471.tif 000013
【図１２】
2018069471.tif 000014
【図１３】
2018069471.tif 000015
【図１４】
2018069471.tif 000016
【図１５】
2018069471.tif 000017
【図１６】
2018069471.tif 000018
【図１７】
2018069471.tif 000019
【図１８】
2018069471.tif 000020
【図１９】
2018069471.tif 000021
【図２０】
2018069471.tif 000022
【図２１】
2018069471.tif 000023
【図２２】
2018069471.tif 000024
【図２３】
2018069471.tif 000025